(57)【特許請求の範囲】
【請求項１】
ケースと、このケース内にあって、先端に落下防止対象の携帯物を繋着可能な紐状体をばねの付勢力によって巻き取るリールを備え、前記ケースが、装着ベースと、前記リールが収納されると共に一側面に前記紐状体を引き出す引き出し口が開設されたケース本体とからなり、このケース本体が、前記装着ベースに着脱可能に取り付けられ、前記ケース本体が、前記装着ベースと、この装着ベースと結合・分離可能な外殻との間に固定され、前記装着ベースが、前記ケース本体の一方又は他方の端面と嵌合可能な基板部と、この基板部から折り返されるように延びるフック部からなり、前記外殻が、前記フック部の先端部と掛止可能な第一掛止部と、前記基板部と掛止可能な第二掛止部を備えることを特徴とする携帯物落下防止具。
【請求項２】
装着ベースに対するケース本体の取付方向によって、引き出し口の向きを任意に変更可能であることを特徴とする請求項１に記載の携帯物落下防止具。
【請求項３】
第一掛止部をフック部の先端部と掛止した状態では、第二掛止部が基板部との掛止状態でロックされることを特徴とする請求項１に記載の携帯物落下防止具。
【請求項４】
装着ベースに複数のケース本体がリールの軸方向に互いに連接した状態で取付可能であることを特徴とする請求項１〜３のいずれかに記載の携帯物落下防止具。
【発明の詳細な説明】
【技術分野】
【０００１】
本発明は、例えば工具などの携帯物を過って落としてしまうのを防止して安全性を高めるために携帯物を繋着するのに用いる携帯物落下防止具に関する。
【背景技術】
【０００２】
建設現場等において、作業者が例えば高所での作業中に過って工具を手から落としてしまった場合の安全性を確保するために使用される従来の携帯物落下防止具（工具落下防止具）として、作業者が腰に装着しているベルトに係止されるケース内に、ワイヤが巻回されると共に引き込みばねによってワイヤを巻き取る回転方向へ付勢されたリールが組み込まれ、このリールからケースの外部へ引き出されるワイヤの先端に工具を繋着するための係止具が設けられたものが知られている。
【０００３】
この種の携帯物落下防止具は、高所作業に際して、作業者が腰に装着しているベルト等にケースを固定し、ワイヤの先端の係止具に工具を繋着して使用する。そして図９に示すように、高所作業中に過って作業者Ａが工具Ｔを手から過って落としてしまった場合、作業者Ａの腰ベルトＢに装着したケース１００内のリール（不図示）から、工具Ｔの落下によってワイヤ１０１が引き出されていき、これに伴い、リールに内蔵された引き込みばねが蓄勢されるので、工具Ｔの落下を途中で食い止めることができる（下記の特許文献１参照）。
【先行技術文献】
【特許文献】
【０００４】
【特許文献１】実公平６−３８９９５号公報
【発明の概要】
【発明が解決しようとする課題】
【０００５】
しかしこの種の携帯物落下防止具は、ワイヤ１０１を引き出す引き出し口がケース１００の一側面に開設されているので、例えば図９に示す例では、ケース１００を腰の右側に装着しているが、左利きであるなどの理由によって通常とは反対側に装着した場合、引き出し口の向きも逆になってしまい、すなわち図９に示す例では、ケース１００を腰の右側に取り付けることによって引き出し口１００ａが作業者の前方を向いているが、腰の左側に装着した場合は引き出し口１００ａが後ろ向きになってしまうので、使い勝手が悪くなり、したがって装着位置が制限されてしまう問題があった。また、ワイヤ１０１以外の紐状体を用いたものなどが必要である場合は、携帯物落下防止具全体を異なる仕様のものと交換する必要があった。
【０００６】
本発明は、以上のような点に鑑みてなされたものであって、その技術的課題は、工具などの携帯物を過って落としてしまうことによる危険を回避するために携帯物を繋着するのに用いる携帯物落下防止具において、ユーザーの腰ベルト等への装着位置の自由度や仕様変更の自由度を高めて使い勝手を向上させることにある。
【課題を解決するための手段】
【０００７】
上述した技術的課題を有効に解決するための手段として、請求項１の発明に係る携帯物落下防止具は、ケースと、このケース内にあって、先端に落下防止対象の携帯物を繋着可能な紐状体をばねの付勢力によって巻き取るリールを備え、前記ケースが、装着ベースと、前記リールが収納されると共に一側面に前記紐状体を引き出す引き出し口が開設されたケース本体とからなり、このケース本体が、前記装着ベースに着脱可能に取り付けられ、前記ケース本体が、前記装着ベースと、この装着ベースと結合・分離可能な外殻との間に固定され、前記装着ベースが、前記ケース本体の一方又は他方の端面と嵌合可能な基板部と、この基板部から折り返されるように延びるフック部からなり、前記外殻が、前記フック部の先端部と掛止可能な第一掛止部と、前記基板部と掛止可能な第二掛止部を備えることを特徴とするものである。なお、ここでいう「紐状体」とは、紐、ワイヤ、ロープ、糸などを総称するものである。
【０００８】
上記構成の携帯物落下防止具は、ケースにおける装着ベースをユーザーの腰ベルトなどに装着し、ケースの外部へ引き出された紐状体の先端に、工具など落下防止対象の携帯物を繋着して使用する。ユーザーが携帯物の使用中に、過ってこの携帯物を手から落としてしまった場合は、携帯物の落下による紐状体の引き出しによってリールが紐状体の引き出し方向へ回転するのに伴って引き込みばねが蓄勢されていき、これによって携帯物の落下速度を低下させて、落下を途中で食い止めるものである。また、上記構成の携帯物落下防止具は、ユーザーの腰ベルトなどを装着ベースの基板部とフック部の間に通した状態でフック部の先端部を外殻の第一掛止部に掛止することによって、ケースを前記腰ベルト等にしっかりと固定することができる。
【０００９】
そしてこの携帯物落下防止具におけるケースは、リールが収納されたケース本体と、これを保持する装着ベースに分離可能であるため、例えば装着ベース又はケース本体を仕様の異なるものに変更して組み合わせることができ、使い勝手が向上する。
【００１０】
請求項２の発明に係る携帯物落下防止具は、請求項１に記載の構成において、装着ベースに対するケース本体の取付方向によって、引き出し口の向きを任意に変更可能であることを特徴とするものである。
【００１１】
請求項２の構成によれば、ユーザーが例えば左利きであるなど何らかの理由によって、ユーザーの腰ベルト等に対する装着位置を通常とは反対側とした場合でも、装着ベースに対するケース本体の取付方向を変更することによって、引き出し口の向きが逆にならないようにすることができ、使い勝手が向上する。
【００１４】
請求項３の発明に係る携帯物落下防止具は、請求項１に記載の構成において、第一掛止部をフック部の先端部と掛止した状態では、第二掛止部が基板部との掛止状態でロックされることを特徴とするものである。
【００１５】
請求項３の構成を備える携帯物落下防止具は、ユーザーの腰ベルトなどを装着ベースの基板部とフック部の間に通した状態でフック部の先端部を外殻の第一掛止部に掛止することによって、ケースを前記腰ベルト等に固定した状態では、第二掛止部が基板部との掛止状態でロックされることによって装着ベースと外殻との結合状態が維持されるので、リールが収納されたケース本体がしっかりと保持される。
【００１６】
請求項４の発明に係る携帯物落下防止具は、請求項１〜３のいずれかに記載の構成において、装着ベースに複数のケース本体がリールの軸方向に互いに連接した状態で取付可能であることを特徴とするものである。
【００１７】
請求項４の構成を備える携帯物落下防止具は、ケース本体を複数有することによって、ケースの横幅を増大させずに、腰回り等への携帯物落下防止具の装着数を増加することができる。
【発明の効果】
【００１８】
本発明に係る携帯物落下防止具によれば、装着ベース又はケース本体を仕様の異なるものに変更したり、ケース本体における引き出し口の向きを変更したりすることができるため、使い勝手を向上させることができる。
【図面の簡単な説明】
【００１９】
【図１】本発明に係る携帯物落下防止具の好ましい実施の形態を示す外観斜視図である。
【図２】本発明に係る携帯物落下防止具の好ましい実施の形態において、ケースをケース本体と装着ベース及び外殻に分離した状態を示す斜視図である。
【図３】本発明に係る携帯物落下防止具の好ましい実施の形態を示す断面図である。
【図４】本発明に係る携帯物落下防止具の好ましい実施の形態における装着ベース及び外殻の掛止構造を説明するための図である。
【図５】ユーザーが右利きの場合の携帯物落下防止具の装着例を示す説明図である。
【図６】本発明に係る携帯物落下防止具の好ましい実施の形態において、ケース本体を図１とは逆向きとした場合を示す外観斜視図である。
【図７】ユーザーが左利きの場合の携帯物落下防止具の装着例を示す説明図である。
【図８】本発明に係る携帯物落下防止具の他の好ましい実施の形態を示す外観斜視図である。
【図９】作業者が、携帯物落下防止具に繋着した工具を過って手から落としてしまっ場合の状況を示す説明図である。
【発明を実施するための形態】
【００２０】
以下、本発明に係る携帯物落下防止具の好ましい実施の形態について、図面を参照しながら説明する。図１、図２及び図３に示すように、この実施の形態の携帯物落下防止具は、ケース１と、このケース１内にあって、先端に落下防止対象の工具を繋着可能なワイヤ４を引き込みばね５の付勢力によって巻き取るリール２を備える。なお、ワイヤ４は請求項１に記載された紐状体に相当するものである。
【００２１】
ケース１は、互いに結合・分離可能な装着ベース１１、外殻１２、ケース本体１３からなり、ケース本体１３は、装着ベース１１と外殻１２の間に嵌合固定されていて、装着ベース１１と外殻１２の結合を解除することによって嵌合が解除されて分離可能となっている。
【００２２】
ケース１における装着ベース１１は、基板部１１１と、この基板部１１１の上端から下方へ折り返されるように延びる板状フック部１１２と、基板部１１１の下部にビス１１４で取り付けられた金属製の結索環１１３と、からなる。基板部１１１における板状フック部１１２との対向面には幅方向へ延びる複数の突起１１１ａが形成されており、板状フック部１１２には、幅方向へ延び、基板部１１１の突起１１１ａと異なる位置と対向する複数の突起１１２ａが形成されている。
【００２３】
図２及び図４に示すように、装着ベース１１の基板部１１１の下端近傍に開設された開口部１１１ｂには左右一対の被掛止段部１１１ｃが形成されており、装着ベース１１の板状フック部１１２の下端近傍に開設された開口部１１２ｂには左右一対の被掛止突起１１２ｃが形成されている。
【００２４】
図２及び図３に示すように、ケース１における外殻１２は、正面板１２１と、この正面板１２１の上部から背面側へ延びて先端に装着ベース１１の上部被掛止梁１１５を掛止可能な上部掛止爪１２２ａを有する上面板１２２と、正面板１２１の下部から背面側へ延びる下部第一掛止爪１２３及び下部第二掛止爪１２４からなり、側面形状が略コ字形をなしている。なお、下部第一掛止爪１２３は請求項３及び４に記載の第一掛止部に相当するものであり、下部第二掛止爪１２４は請求項３及び４に記載の第二掛止部に相当するものである。
【００２５】
図４に示すように、外殻１２の下部第一掛止爪１２３は、基板部１１１の下端部に開設された開口部１１１ｂを通じて、先端鉤部１２３ａが装着ベース１１の板状フック部１１２の被掛止突起１１２ｃを掛止可能となっており、下部第二掛止爪１２４は、下部第一掛止爪１２３の左右両側を互いにほぼ平行に延びるように一対設けられ、先端鉤部１２４ａが、装着ベース１１の基板部１１１に形成された被掛止段部１１１ｃを掛止可能となっている。このうち下部第一掛止爪１２３は、上下方向への弾性的な曲げ変形によって被掛止段部１１１ｃと掛合あるいは掛合解除されるものであり、下部第二掛止爪１２４は、その下面に突設されたつまみ１２４ｂの操作によって左右方向へ弾性的に曲げ変形して先端鉤部１２４ａが被掛止突起１１２ｃと掛合あるいは掛合解除されるものである。
【００２６】
ケース１におけるケース本体１３は、ビス１３３によって互いに結合された一対のシェル１３１，１３２からなるものであって、リール２が回転可能に収納されており、このケース本体１３における左右両側面部は、図１に示すケース１の組立状態において、略コ字形をなす外殻１２の左右両側の開口部から露出するようになっている。また、ケース本体１３における左右両側面部のうち一方の側面部には、ワイヤ引き出し口１３０が開設されている。
【００２７】
ケース本体１３（シェル１３１，１３２）は、リール２の軸方向への投影形状が左右対称となっている。そしてこのケース本体１３は、装着ベース１１と外殻１２の間に嵌合固定された状態では、リール２の軸方向に対するケース本体１３の両端面１３ａ，１３ｂ、すなわちシェル１３１の端面及びシェル１３２の端面のうちのいずれか一方が装着ベース１１の基板部１１１と衝合され、他方が外殻１２の正面板１２１の裏面と衝合され、円筒面状の凸面をなす上面１３ｃが円筒面状の凹面をなす外殻１２の上面板１２２の下面と嵌合し、ケース本体１３下面に形成された凹部１３ｄが、下部第一掛止爪１２３及び第下部二掛止爪１２４と嵌合されるようになっている。
【００２８】
すなわち、ケース１は、図２に示す分離状態から、例えばケース本体１３を、その両端面１３ａ，１３ｂのうちいずれかを外殻１２の正面板１２１の裏面に衝合させるようにして、外殻１２の上面板１２２と下部第一掛止爪１２３及び下部第二掛止爪１２４の間に嵌め込み、上面板１２２の先端の上部掛止爪１２２ａを装着ベース１１の上部被掛止梁１１５と掛合させてから、装着ベース１１の基板部１１１を、結索環１１３を介してケース本体１３側（外殻１２側）へ押圧すれば、図４（Ａ）に示す非掛合状態から、左右の下部第二掛止爪１２４が内側へ弾性的に曲げ変形しながら開口部１１１ｂへ相対的に圧入され、図４（Ｂ）に示すように先端鉤部１２４ａが被掛止段部１１１ｃと掛合される。そしてこれによって、図１及び図３に示すように、装着ベース１１、外殻１２及びケース本体１３を互いに結合状態としてケース１を組み立てることができる。
【００２９】
また、この状態から装着ベース１１の板状フック部１１２を基板部１１１側へ押圧すれば、図４（Ｂ）に示す状態から、板状フック部１１２が基板部１１１へ接近する過程で被掛止突起１１２ｃが下部第一掛止爪１２３を上側へ弾性的に曲げ変形させながらその先端鉤部１２３ａを乗り越えて、図４（Ｃ）に示すように掛合される。そしてこの状態では、被掛止突起１１２ｃが、基板部１１１の被掛止段部１１１ｃと掛合されている下部第二掛止爪１２４の先端鉤部１２４ａの内側に位置して下部第一掛止爪１２３と掛合されているので、下部第二掛止爪１２４は被掛止段部１１１ｃとの掛合を解除する方向（内側）へ変位することができず、すなわち基板部１１１との掛止状態でロックされるようになっている。
【００３０】
図３に示すように、リール２は、ケース本体１３におけるシェル１３１，１３２の内面に形成された環状のリール受け１３１ａ，１３２ａの間で回転可能に支持された状態に配置されており、巻き取り筒部２１と、その軸方向両端から延びるガイド鍔部２２を有し、巻き取り筒部２１の内周側はばね収納部２３となっている。
【００３１】
リール２の内径の軸孔には、ばね芯３がリール２と相対回転可能に挿通されている。また、このばね芯３の軸方向両端は、ケース本体１３におけるシェル１３１，１３２に開設された軸孔に回転可能に支持されている。
【００３２】
ワイヤ４は金属の撚り線からなるものであって、リール２の巻き取り筒部２１に巻き付けられ、ケース１におけるケース本体１３のワイヤ引き出し口１３０から引き出された先端には、落下防止対象の携帯物を繋着するための繋着金具６が取り付けられている。
【００３３】
リール２を巻き取り回転方向へ付勢する引き込みばね５は、軸方向に並列した互いにばね定数の異なる第一及び第二渦巻きばね５１，５２からなる。第一及び第二渦巻きばね５１，５２は、帯状の鋼材を渦巻き状に巻いた、いわゆるぜんまいばねからなるものであって、このうち相対的に低ばねの第一渦巻きばね５１は、リール２のばね収納部２３内に配置されていて、外周端がリール２の巻き取り筒部２１に結合されると共に、内周端がばね芯３における軸方向一端寄りの位置に形成されたスリット３ａに結合されている。また、相対的に高ばねの第二渦巻きばね５２は、ケース本体１３のリール受け１３１ａの内周に配置されていて、内周端がばね芯３における軸方向他端寄りの位置に形成されたスリット３ｂに結合されると共に、外周端がリール受け１３１ａに結合されている。なお、第一渦巻きばね５１がばね芯３に完全に巻き付いた時点でばね芯３が引き出し回転方向へ回転して第二渦巻きばね５２がばね芯３に巻き付いていくように、第一渦巻きばね５１と第二渦巻きばね５２のばね定数が設定されている。
【００３４】
以上のように構成された実施の形態による携帯物落下防止具は、例えば図５に示すように、高所作業を行う作業者Ａの腰ベルトＢの裏側に、図１及び図３に示す状態でケース１の装着ベース１１の板状フック部１１２を差し込んでから、この板状フック部１１２の先端の被掛止突起１１２ｃを外殻１２の下部第一掛止爪１２３に掛止することによって、ケース１を腰ベルトＢに固定すると共に、ワイヤ４の先端の繋着金具６に工具Ｔを繋着して用いる。板状フック部１１２の被掛止突起１１２ｃを外殻１２の下部第一掛止爪１２３に掛止した状態では、装着ベース１１の基板部１１１に形成された突起１１１ａと板状フック部１２に形成された突起１１２ａで腰ベルトＢが噛み込まれるため、ケース１をこの腰ベルトＢにしっかりと固定することができる。
【００３５】
また、ケース１における装着ベース１１の基板部１１１に設けられた結索環１１３には、他の工具類や道具類をロープなどで結索しておくことができる。
【００３６】
作業のために工具Ｔを使用する際には、工具Ｔによる作業に必要な長さだけワイヤ４が引き出される。そして、これに伴うリール２の引き出し方向への回転によって、引き込みばね５は、相対的に低ばねの第一渦巻きばね５１が先行して、ばね芯３における軸方向一端寄りの外周に巻曲されていく。
【００３７】
また、作業者Ａが作業中に過って工具Ｔを手から落としてしまった場合は、その落下力によってワイヤ４がさらに引き出される。そしてワイヤ４の引き出し過程では、先に説明したように、引き込みばね５はまず相対的に低ばねの第一渦巻きばね５１がリール２の引き出し回転方向のトルクによってばね芯３における軸方向一端寄りの外周に巻き付きながら蓄勢されていくので、落下速度の増大が有効に抑制される。
【００３８】
そして第一渦巻きばね５１がばね芯３に完全に巻き付いた時点で、リール２の引き出し回転方向のトルクによってばね芯３も引き出し回転方向へ回転し、これによって、高ばねの第二渦巻きばね５２がばね芯３に巻き付いていき、その蓄勢力の増大によって工具Ｔの落下速度を急速に低下させて落下を途中で食い止め、そのときの衝撃を有効に緩和する。
【００３９】
ここで図１に示すように、ワイヤ引き出し口１３０がケース１における左側の側面に位置するように、ケース本体１３を装着ベース１１と外殻１２の間に嵌合固定した場合は、図５に示すように、作業者Ａはケース１を腰の右側に位置するように腰ベルトＢに装着すれば、ワイヤ引き出し口１３０が作業者Ａの正面を向くことになるが、例えば作業者Ａが左利きであるとか、あるいは腰の右側に他の複数の工具類が繋着されているなど、何らかの理由によって、ケース１を腰の左側に装着する場合、図１に示す状態のままでケース１を腰の左側に装着すると、ワイヤ引き出し口１３０が作業者Ａの後ろを向いてしまうことになる。
【００４０】
しかしながら、この実施の形態によれば、下部第一掛止爪１２３及び下部第二掛止爪１２４と被掛止突起１１２ｃ及び被掛止段部１１１ｃとの掛合を解除すると共に上部掛止爪１２２ａと上部被掛止梁１１５との掛合を解除することによって、ケース１をいったん図２に示すように分離してから、ケース本体１３を、端面１３ａを装着ベース１１の基板部１１１と衝合させ、端面１３ｂを外殻１２の正面板１２１と衝合させた状態で装着ベース１１と外殻１２を結合すれば、ケース１を、図６に示すようにワイヤ引き出し口１３０が右側の側面に位置するように組み立てられる。すなわち、ケース本体１３（シェル１３１，１３２）と、装着ベース１１及び外殻１２との嵌合面の形状が左右対称であるため、ケース本体１３を逆向きに取り付けることができるのである。
【００４１】
したがって、このように組み立てたケース１を、腰の左側に位置するように腰ベルトＢに装着することによって、図７に示すようにワイヤ引き出し口１３０が作業者Ａの正面を向くことになるので、良好な使い勝手を維持することができる。
【００４２】
また、図４（Ｃ）に示すように、外殻１２の下部第二掛止爪１２４と装着ベース１１における基板部１１１の被掛止段部１１１ｃが掛合し、外殻１２の下部第一掛止爪１２３と装着ベース１１における板状フック部１１２の被掛止突起１１２ｃが掛合した状態では、被掛止突起１１２ｃによって、下部第二掛止爪１２４は基板部１１１の被掛止段部１１１ｃとの掛合状態でロックされているので、装着ベース１１、外殻１２、ケース本体１３が不用意に分離されてしまうようなことがなく、安全性が高いものとなっている。
【００４３】
なお、図４（Ｃ）に示す下部第二掛止爪１２４の拘束状態を解除するには、装着ベース１１の板状フック部１１２の開口部１１２ｂから手指で下部第一掛止爪１２３を曲げ変形させることによって被掛止突起１１２ｃとの掛合を解除し、図４（Ｂ）に示すように板状フック部１１２を基板部１１１から離間方向へ変位させればよい。
【００４４】
図８は、本発明に係る携帯物落下防止具の他の好ましい実施の形態を示すものである。この実施の形態は、ケース１における外殻１２の上面板１２２と下部第一掛止爪及び下部第二掛止爪（不図示）を長くすることによって、装着ベース１１と外殻１２の間に、複数のケース本体１３を、リール２の軸方向へ連接した状態で嵌合固定するようにしたものである。
【００４５】
このように構成すれば、ケース１の横幅を増大させることなくに、繋着可能な工具数を増やすことができるほか、例えば一方のケース本体１３は、ワイヤ引き出し口１３０が右側の側面に位置し、他方のケース本体１３は、ワイヤ引き出し口１３０が左側の側面に位置するようにケース１を組み立てるなど、種々の使い方が可能となる。
【００４６】
なお、上述した各実施の形態では、落下防止対象の携帯物が工具である場合について説明したが、これには限定されず、例えば携帯通信端末や、各種キー（玄関ドア用、自動車用）などの携帯物にも本発明を適用することができる。
【００４７】
また、本発明に係る携帯物落下防止具によれば、ケース１が装着ベース１１、外殻１２及びケース本体１３に互いに結合・分離可能であることから、上述のようにケース本体１３の向きを変更するだけでなく、例えばケース本体１３をワイヤ４以外の紐状体を用いたものに取り換えたり、あるいは外殻１２を工具ホルダ付きなどの仕様のものと交換することもでき、使い勝手を向上することができる。
【００４８】
また、上述の説明では、装着ベース１１及び外殻１２とケース本体１３との嵌合形状を左右対称とすることによってケース本体１３を表裏いずれの方向にも組み込むことができるものとし、これによってワイヤ引き出し口１３０の方向を左右に変更できるようにしたが、装着ベース１１及び外殻１２とケース本体１３との嵌合形状を、リール２の軸心と平行な仮想軸を対称軸とする１８０度回転対称とすることによって、ケース本体１３の表裏の方向はそのままで、嵌合方向を前記仮想軸の周りに１８０度変更することによってワイヤ引き出し口１３０の方向を左右に変更できるようにしても良い。
【符号の説明】
【００４９】
１  ケース
１１  装着ベース
１１１ｃ  被掛止段部
１１２ｃ  被掛止突起
１１５  上部被掛止梁
１２  外殻
１２２ａ  上部掛止爪
１２３  下部第一掛止爪（第一掛止爪）
１２４  下部第二掛止爪（第二掛止爪）
１３  ケース本体
１３０  ワイヤ引き出し口
２  リール
４  ワイヤ（紐状体）
５  引き込みばね（ばね）
【図１】
0006549910.tif 000002
【図２】
0006549910.tif 000003
【図３】
0006549910.tif 000004
【図４】
0006549910.tif 000005
【図５】
0006549910.tif 000006
【図６】
0006549910.tif 000007
【図７】
0006549910.tif 000008
【図８】
0006549910.tif 000009
【図９】
0006549910.tif 000010